(57)【要約】【課題】口金後端部に肉盛り部を設けなくても、口金取れや玉口の破損を防止でき、また竿元に中節を中間まで収納した状態で使用しても竿管の破損を防止する構造を実現すること。【解決手段】振出式継竿に用いられる竿管１３の先端部外周面に竿管外周面よりも突出した口金２９を装着し、該口金２９の後部に周面よりも膨出した収納誘導部材３０を設けた。収納誘導部材３０は、口金後端から収納誘導部材３０の長手方向中央までの長さをＬ１、収納誘導部材３０の長手方向中央から竿管後端までの長さをＬ２、口金外径をφＡ、収納誘導部材外径をφＣ、竿管後端部外径をφＤとした場合に、（φＣ−φＡ）／Ｌ１＞（φＤ−φＣ）／Ｌ２、を満たす長さ方向の範囲に設置する。【選択図】  図２
2006180765.tif 000002
【特許請求の範囲】
【請求項１】
複数の竿管が振出式に継ぎ合わされる振出式継竿であって、元竿を除く少なくとも一節の先端部外周面に竿管外周面よりも突出して装着された口金と、前記口金の後部に周面よりも膨出して設けられた収納誘導部材と、を具備することを特徴とする振出式継竿。
【請求項２】
前記収納誘導部材は、口金後端から前記収納誘導部材の長手方向中央までの長さをＬ１、前記収納誘導部材の長手方向中央から竿管後端までの長さをＬ２、口金外径をφＡ、収納誘導部材外径をφＣ、竿管後端部外径をφＤとした場合に、
（φＣ−φＡ）／Ｌ１＞（φＤ−φＣ）／Ｌ２
を満たす長さ方向の範囲に設置されていることを特徴とする請求項１記載の振出式継竿。
【請求項３】
前記収納誘導部材は、熱硬化性樹脂を含浸したプリプレグで前記竿管と一体形成されていることを特徴とする請求項１又は請求項２記載の振出式継竿。
【請求項４】
前記収納誘導部材の設置位置として、前記Ｌ１を３０ｍｍから１００ｍｍの範囲に設定したことを特徴とする請求項１から請求項３のいずれかに記載の振出式継竿。
【請求項５】
前記収納誘導部材の外表面に凹凸を形成したことを特徴とする請求項１から請求項４のいずれかに記載の振出式継竿。
【請求項６】
前記収納誘導部材の外表面に滑り防止部材を被覆したことを特徴とする請求項１から請求項４のいずれかに記載の振出式継竿。
【請求項７】
前記収納誘導部材の後方で竿管中央に周面よりも膨出した他の収納誘導部材が設けられていることを特徴とする請求項１から請求項６のいずれかに記載の振出式継竿。
【請求項８】
複数の竿管が振出式に継ぎ合わされる振出式継竿であって、元竿を除く少なくとも一節の先端部外周面に竿管外周面よりも突出して装着された口金と、前記口金の後部から竿管後端までの間にそれぞれ周面よりも膨出して設けられた複数の収納誘導部材と、を具備することを特徴とする振出式継竿。
【発明の詳細な説明】
【技術分野】
【０００１】
本発明は、複数の竿管が振出式に継ぎ合わされる振出式継竿に関する。
【背景技術】
【０００２】
従来の振出式継竿は、玉口の強度を補強して破損を防止するため、玉口外周に口金を装着している。竿管の先端部外周を肉薄に削って段差部を形成し、当該段差部にリング形状の口金を嵌め込んで固定している。
【０００３】
竿管自体の強度を確保するため又は竿管の肉厚が薄いために竿管の素材を削るのには制限がある一方、口金についてはある程度の厚みを確保する必要がある。その結果、玉口に装着した口金は、その外周部が竿管外周面より外方へ突出した状態となる場合が多い。
【０００４】
ところが、振出式継竿の場合、口金が竿管周面より外方へ突出していると、外に出ている竿管を次節へ収納する際に、口金後端が次節の玉口に引っ掛かり、当該口金が外れたり、次節の玉口が破損したりする可能性がある。
【０００５】
従来は口金後端に連続して肉盛り部を設けることで、口金後端から竿管外周面にかけて滑らかな傾斜面を形成しているものもある。肉盛り部は、一般にエポキシ系樹脂又はウレタン系樹脂による塗料にて形成されている。肉盛り部を設けることにより、竿管収納時に、次節の玉口内径部が竿管外周面上を摺動して肉盛り部スライドし、竿管が次節の竿管内にスムーズに収納されるようになっていた。
【０００６】
また、振出式継竿は、必要に応じて竿全体の長さを変化させることができる。例えば、川幅に合わせてバット内に竿管を収納して竿の長さを調整する。また竿管中間までバット内に収納した状態で、バットの玉口と中節中間部とを同時に押さえ、且つ親指と人差し指で中節の中間部を持って長さを微調整することができる。渓流釣り竿に限らず、振出式の玉網の柄部でも同様な調整が行なわれる。
【０００７】
なお、元竿と元上竿との連結状態を、収納状態、延伸状態及び中間状態のいずれかから選択可能にした釣竿がある（例えば、特許文献１参照）。かかる釣竿は、元竿の先端部内周面に嵌合雌部を設け、元竿の尻栓部近傍に第１嵌合部材を設け、さらに元竿の中間部内周面に第２嵌合部材を設けている。一方、元上竿の後端部に元竿の第１嵌合部材及び第２嵌合部材にそれぞれ嵌着する竿元側嵌合雄部を設け、元上竿の中間部外周に嵌合雌部に嵌着する第１嵌合雄部を設け、第１嵌合雄部から先端側に所定距離隔てたところに嵌合雌部に嵌着する第２嵌合雄部を設けている。
【０００８】
収納状態において、元竿の第１嵌合部材と元上竿の竿元側嵌合雄部とが嵌着し、且つ元竿の嵌合雌部と元上竿の第２嵌合雄部とが嵌着して連結固定される。また中間状態において、元竿の第２嵌合部材と元上竿の竿元側嵌合雄部とが嵌着し、且つ元竿の嵌合雌部と元上竿の第１嵌合雄部とが嵌着して連結固定される。このように、収納状態及び中間状態の各状態において元竿と元上竿とは嵌着状態となり連結固定される。
【０００９】
【特許文献１】特開２００３−３１９７３８号
【発明の開示】
【発明が解決しようとする課題】
【００１０】
しかしながら、上述した従来の振出式継竿は、次のような問題があった。
竿管外周面の口金後端部に肉盛り部を設けているものは、収納操作を行う都度、肉盛り部に次節の玉口が当たるので、肉盛り部が擦れて白く変色し又はひび割れが発生し、さらには肉盛り部の割れや欠けが発生する可能性もあった。
【００１１】
また、上記したように、バット内に竿管を中間まで収納した状態でバットの玉口と竿管中間部とを同時に押さえて使用した場合、この状態で一定以上の力が掛かると前節が滑ることがあり、さらに固定力を上げようとして無理に力を加えると中節が破損することがある。また、バットの玉口に竿管中間部を当てたまま操作すると、外竿管の接触部に過大な負荷が掛かり竿管が破損する恐れがある。
【００１２】
本発明はかかる点に鑑みてなされたものであり、口金と竿管外周面との高さとを調整する肉盛り部を設けることなく、口金取れや玉口の破損を防止でき、またバット内に竿管を中間まで収納した状態で使用しても竿間の破損が防止される構造を実現すると共に長さの変化にも対応できる構造を実現する振出式継竿を提供することを目的とする。
【課題を解決するための手段】
【００１３】
本発明の振出式継竿は、複数の竿管が振出式に継ぎ合わされる振出式継竿であって、元竿を除く少なくとも一節の先端部外周面に竿管外周面よりも突出して装着された口金と、前記口金の後部に周面よりも膨出して設けられた収納誘導部材と、を具備することを特徴とする。
【００１４】
この構成よれば、次節先端部が口金に到達する前に収納誘導部材に誘導されて口金の突出部に当接しない位置にシフトするので、次節先端部が口金端部に当接して割れや欠けが発生するのを防止できる。また、握持部から竿先端までの長さを調整したい場合、収納誘導部材を次節玉口と同時に握持することでより安定して継竿の操作ができ、中節の破損も防止できる。
【００１５】
本発明の振出式継竿においては、前記収納誘導部材は、口金後端から前記収納誘導部材の長手方向中央までの長さをＬ１、前記収納誘導部材の長手方向中央から竿管後端までの長さをＬ２、口金外径をφＡ、収納誘導部材外径をφＣ、竿管後端部外径をφＤとした場合に、
（φＣ−φＡ）／Ｌ１＞（φＤ−φＣ）／Ｌ２
を満たす長さ方向の範囲に設置されていることが好ましい。
【００１６】
この構成によれば、竿管周面上をスライドする次節先端部の進行方向の角度が、次節先端内面が前節口金後端部に当接し難いものとなり、次節先端の破損を防止することができる。
【００１７】
本発明の振出式継竿においては、前記収納誘導部材は、熱硬化性樹脂を含浸したプリプレグで前記竿管と一体形成されていることが好ましい。この構成によれば、塗装などにより口金後端部に肉盛りなどを施す必要がなく工程数の削減になる。また、竿管に強固に密着するので、取れや削れが発生し難い。
【００１８】
本発明の振出式継竿においては、前記収納誘導部材の設置位置として、前記Ｌ１を３０ｍｍから１００ｍｍの範囲に設定したことが好ましい。この構成によれば、収納誘導部材と玉口との間に手を挟む恐れがない。また、握持する竿管本体及び次節先端部が位置する前節本体の強度の補強を同時に実現することができる。
【００１９】
本発明の振出式継竿においては、前記収納誘導部材の外表面に凹凸を形成したことが好ましい。また、本発明の振出式継竿においては、前記収納誘導部材の外表面に滑り防止部材を被覆したことが好ましい。これらの構成によれば、収納誘導部材を握持するときに、滑り難く竿管を安定して持つことができる。
【００２０】
本発明の振出式継竿においては、前記収納誘導部材の後方で竿管中央に周面よりも膨出した他の収納誘導部材が設けられていることが好ましい。
【００２１】
また、本発明の振出式継竿は、複数の竿管が振出式に継ぎ合わされる振出式継竿であって、元竿を除く少なくとも一節の先端部外周面に竿管外周面よりも突出して装着された口金と、前記口金の後部から竿管後端までの間にそれぞれ周面よりも膨出して設けられた複数の収納誘導部材と、を具備することを特徴とする。
【００２２】
このように、複数の収納誘導部材を設けることにより、次節のスライドが安定し、長さ調整も適用範囲を広げることができる。
【発明の効果】
【００２３】
本発明によれば、口金と竿管外周面との高さとを調整する肉盛り部を設けることなく、口金取れや玉口の破損を防止でき、またバット内に竿管を中間まで収納した状態で使用しても竿間の破損が防止される構造を実現すると共に長さの変化にも対応できる構造を実現する振出式継竿を提供できる。
【発明を実施するための最良の形態】
【００２４】
以下、本発明の一実施の形態について添付図面を参照して詳細に説明する。なお、本実施の形態として、柄部が振出式になっている玉網の例を説明するが、本発明は玉網の柄部に限定されるものではなく、振出式の渓流釣り竿等にも適用可能である。
【００２５】
図１は、本実施の形態に係る玉網の全体図を示している。玉網１０は、複数本の竿管１１〜１６からなる柄部と、竿管１６の先端に取り付けられた環状の枠部１７及び枠部１７に固定された袋状の網１８からなる網部とで構成している。竿管１１〜１６は、それぞれ内径が先端先細りの筒状体をなしている。これらの竿管１１〜１６からなる柄部は、手元側の大径竿管から網側の小径竿管が順次振出式に継ぎ合わされると共に、順次手元側の大径竿管内に網側の小径竿管が収納可能となっている。最も手元側に位置する竿管１１（以下、元竿という）の一端部に尻栓１９を取り付けている。元竿１１を除く各節（竿管１２〜１６）のうち少なくとも一節に口金を装着している。本例では各節（竿管１２〜１６）の玉口に対して口金を装着するものとするが、一部の節だけに口金を装着するように構成しても良い。
【００２６】
図２は、口金を装着した一節である竿管１３を長手方向に切断した上半分の側断面図を示している。竿管１３の本体層２０は内側層を形成する第１の本体層２１と外側層を形成する第２の本体層２２との２層構造をなしている。第１の本体層２１及び第２の本体層２２は、互いの繊維方向を異ならせた内層２３、２５及び外層２４、２６で構成する。詳細については後述する。
【００２７】
竿管１３の後端部外周を大径部とし嵌合雄部としても機能する後端補強部材２７を設けている。竿管１３の後端補強部材２７は、次節となる竿管１２の先端部内周と嵌合する部分であり、竿管１２の先端部の内径よりも僅かに大径となるように設定している。
【００２８】
一方、竿管１３の先端部であって第１の本体層２１の内側に先端部補強部材２８を設けている。竿管１３の先端部は先端部補強部材２８の厚さ分だけ外径が大きくなっているが、竿管１２の先端部内径よりは小さく設定することにより竿管１３を次節である竿管１２に収納できるようにしている。
【００２９】
竿管１３の先端部外周面に相当する第２の本体層２２の一部を削って段差部を形成し、当該段差部に環状の口金２９を装着している。口金２９は第２の本体層２２を削った段差部の深さよりも肉厚であるため、第２の本体層２２の表面である竿管１３の外周面よりも外側に突出する。
【００３０】
竿管１３の外周面であって口金２９の後方（手元側）の所要位置に、竿管周面よりも膨出した収納誘導部材３０を設けている。収納誘導部材３０は、略均一な厚さの胴部３０ａと当該胴部３０ａの左右の外縁部に形成したテーパ３０ｂ、３０ｃとを有する断面台形状の膨出部で構成する。なお、収納誘導部材３０の断面形状は台形に限定されるものではなく、かまぼこ形、二等辺三角形、左右いずれかの辺が他方の辺よりも長い三角形、その他の形状とすることもできる。
【００３１】
口金２９まで含んだ竿管１３先端の外径をφＡ、口金２９直後の竿管１３先端の外径をφＢ、収納誘導部材３０の外径をφＣ、竿管１３後端部の外径をφＤとすると、φＤ＞φＣ＞φＡ＞φＢの関係となるように設定する。さらに、収納誘導部材３０の竿管長手方向における設置位置は次式を満足することが望ましい。
（φＣ−φＡ）／Ｌ１＞（φＤ−φＣ）／Ｌ２
但し、Ｌ１は口金２９後端から収納誘導部材３０中央までの距離、Ｌ２は竿管後端部から収納誘導部材３０中央までの距離を示す。
【００３２】
竿管１３の各外径及び収納誘導部材３０の設置位置が上記関係式を満たすことにより、竿管１３の口金２９に対して次節（竿管１２）玉口部内周が当接し難くなる。
【００３３】
上記Ｌ１は収納誘導部材３０の設置位置を規定しているが、Ｌ１の数値範囲としては３０ｍｍ〜１００ｍｍが望ましい。Ｌ１が３０ｍｍよりも短いと収納誘導部材３０に親指を載置して操作する際に親指を前方の口金２９との間に挟み込む恐れがあり、１００ｍｍよりも長いと次節先端がぶれる恐れがあり、口金２９に当接する恐れもあるからである。
【００３４】
本実施の形態では、竿管１３以外に竿管１２、１４、１５、１６についても竿管１３と同様の構成を有し、それぞれ上記条件を満足する収納誘導部材を設置している。
【００３５】
図３に竿管１３と竿管１４との継ぎ合わせ部の断面を示している。竿管１４は、竿管１３と同様に本体層４０を２層構造で構成し、竿管１４の外周面であって後端部に嵌合雄部として機能する補強部材４１を設けている。竿管１４の補強部材４１の外径を、竿管１３の先端部補強部材２８の内径よりも僅かに大きく設定している。振出し時は、竿管１３の内部に収納していた竿管１４を延伸方向に振り出すと、竿管１４の補強部材（大径部）４１が竿管１３の先端部補強部材２８の内周に嵌合し継ぎ合わされる。竿管１４と竿管１３との間に限らず、他の竿管同士の継ぎ合わせ部においても、小径竿管を振り出すことにより、大径竿管の先端部補強部材と小径竿管の後端部の補強部材（大径部）とが嵌合して継ぎ合わされる。また収納時は、竿管１４を竿管１３内に押し込んで竿管１３の先端部補強部材２８と竿管１４の補強部材４１との嵌合を解除し、竿管１３内に竿管１４を収納する。他の竿管同士の継ぎ合わせ部においても、小径竿管を大径竿管内に押し込んで大径竿管の先端部補強部材と小径竿管の補強部材との嵌合を解除し、大径竿管内に小径竿管を収納する。
【００３６】
ここで、竿管周面に設けた収納誘導部材の作用について具体的に説明する。図４は、竿管１３に振り出した竿管１４が継ぎ合わされ、竿管１３が竿管１２内に収納された状態を示している。なお、竿管１２は竿管１３と同様に構成されており、２層構造の本体層５０、玉口部に設けた口金５１、竿管周面の上記条件を満たす位置及び外径を有する収納誘導部材５２、先端部内周面に形成した先端部補強部材５３を備えている。
【００３７】
ここで、竿管１３が竿管１２に継ぎ合わされた状態から、竿管１３を竿管１２に収納する操作を行うものとする。竿管１３の周面を掴むとともに竿元側を固定して竿管１２側へ強く押し込むと、竿管１３の後端補強部材２７と竿管１２の先端部補強部材５３との嵌合が解除される。継ぎ合わせ部の嵌合解除後は、大径竿管である竿管１２の中空部内に小径竿管である竿管１３を滑り込ませる操作を行う。
【００３８】
このとき、竿管１２の玉口となる次節玉口部が、前節となる竿管１３の後端側から先端側に向けて竿管１３周面上をスライドしていく。次節（竿管１２）玉口部が前節（竿管１３）の口金２９にある程度まで接近したところで収納誘導部材３０と接する。竿管１２の先端部内周面は、収納誘導部材３０の後端側テーパ３０ｂを利用して収納誘導部材３０に滑らかに乗り上げる。収納誘導部材３０を通過した後は、次節竿管内部に前節の収納誘導部材３０を収納した状態となる。竿管１２を固定側とすれば、竿管１３の収納誘導部材３０が竿管１２の内周面と接して竿管１３を竿管１２の軸中心側へシフトさせることになる。
【００３９】
ここで、上記関係式（φＣ−φＡ）／Ｌ１＞（φＤ−φＣ）／Ｌ２を満足していれば、竿管１３後端頂点（最外径部）から収納誘導部材３０の頂点（最外径部）を結ぶ線分が竿管中心軸となす角度は、収納誘導部材３０の頂点から口金２９の頂点（最外径部）を結ぶ線分が竿管中心軸となす角度よりも小さくなる。このため、収納誘導部材３０を通過した次節（竿管１２）玉口内径部の進行路は、その先の口金２９の頂点の僅かに上を通過することとなる。その結果、次節（竿管１２）玉口内径部は竿管１３の口金２９の位置まで相対的に移動しても、両者の間には空間Ｓが存在することとなり当接しないものとなる。
【００４０】
このように、竿管１３の口金２９の外径φＡよりも次節（竿管１２）玉口内径を大きくし、且つ口金２９の後方位置に設けた収納誘導部材３０で竿管１３自体を竿管１２の軸中心側へシフトさせるようにしたので、竿管１２の玉口が竿管１３の口金２９に当接し難くなり次節の玉口の破損を防止することができる。しかも、収納誘導部材３０を口金２９後端から３０ｍｍ〜１００ｍｍの範囲内に設置することにより、収納誘導部材３０より口金２９側の竿管１２の強度で十分にガタを抑えられ、竿管１２の玉口が竿管１３の口金２９に当接しづらくなる効果もある。
【００４１】
また、次節（竿管１２）玉口内径は、竿管１３の口金２９外径φＡ及び収納誘導部材３０の外径φＣよりも大きいので、竿管１３は収納誘導部材３０を介して竿管１２に支えられているが、竿管１２、１３間は遊びが存在する遊嵌状となっている。このため、収納及び引き出す際に収納誘導部材３０又は口金２９が次節（竿管１２）玉口部に引っ掛からないようになっており、例えば玉網の柄部を足場の高い所から下面に瞬時に引き延ばしたいときに手間取ることなく円滑に操作することができる。
【００４２】
次に、竿管１２に竿管１３を途中まで収納して竿長を調整した上で竿操作する場合について、図５を参照しながら説明する。
【００４３】
収納誘導部材３０の胴部３０ａの後半部分に竿管１２の玉口内径部を半掛けにする。このような収納状態において親指を収納誘導部材３０の露出領域に載置して人差し指と共に小径竿管（竿管１３）と大径竿管（竿管１２）とを同時に押さえ、他の三本の指で大径竿管（竿管１２）玉口部を保持する。親指の載置位置となる収納誘導部材３０の前半部分につかみ部として認識しやすい目印を付けるようにしても良い。
【００４４】
握持力を調整しつつ親指を前方に押し出し又は手前に引き込むことにより収納誘導部材３０を介して竿管１３に長手方向（延伸方向又は収納方向）の力を加え、竿長を微調整する。このとき、竿管１２の玉口内径部は竿管１３周面より膨出した収納誘導部材３０の胴部３０ａに押し当てた状態となっているので、振出式継竿を安定して保持できる。また、収納誘導部材３０を握持部として竿操作した場合、竿管１２の玉口内径部は収納誘導部材３０の胴部３０ａに接するだけで、相対的に強度の弱い竿管周面に接しないため、玉口に接している竿管周面が破損するといった不具合も防止できる。
【００４５】
図６（ａ）〜（ｃ）は収納誘導部材３０の周面に形成する溝の平面図である。図６（ａ）に示す収納誘導部材３０は竿管の長手方向に対して９０°方向の溝３１を形成した例である。このような９０°方向の溝３１を形成した（外表面に凹凸を形成した）収納誘導部材３０によれば、親指を収納誘導部材３０に載置した場合、長手方向に対しては親指との摩擦力が大きなものとなるので、滑り難く、長さの微調整が容易になると共に伸縮方向の力に対して十分に対抗することができる。
【００４６】
図６（ｂ）に示す収納誘導部材３０は竿管の長手方向に対して０°方向の溝３２を形成した例である。このような０°方向の溝３２を形成した収納誘導部材３０によれば、親指を収納誘導部材３０に載置した場合、周方向に対しては親指との摩擦力が大きなものとなるので、小径竿管（竿管１３）に加わる周方向の回転力に対して十分に対抗することができる。例えば、網１８に魚が入っている場合は小径竿管（竿管１３）に周方向の回転力が加わるが、小径竿管が回転するのを親指の押圧力で防ぐことが可能になる。
【００４７】
図６（ｃ）に示す収納誘導部材３０は竿管の長手方向に対して９０°方向の溝３１及び０°方向の溝３２を交差させた例である。このような溝を形成した収納誘導部材３０によれば、長手方向の力及び周方向の回転力のそれぞれに対して対抗することができる。
【００４８】
なお、収納誘導部材３０と指との摩擦力を高める目的で、溝３１，３２ではなく、滑り止め効果のある滑り防止部材を被覆を設けても良いし、滑り防止部材としての滑り止め防止塗料を塗布しても良い。
【００４９】
以上の説明では竿管の外周面に収納誘導部材を１つだけ設けていたが、複数の収納誘導部材を設けても良い。
【００５０】
図７は、複数の収納誘導部材を設けた竿管の断面図である。同図に示す竿管６０は、前述した竿管１３と同様に、先細り形状の筒状をした本体６１を２層構造とし、玉口部に口金６２を装着している。竿管６０の玉口近傍となる先端部内周に先端部補強部材６３を設けている。竿管６０の外周面には口金６２の後方に第１収納誘導部材６４を設け、さらに第１収納誘導部材６４から所定距離後方に第２収納誘導部材６５を設けている。本例では、第１収納誘導部材６４及び第２収納誘導部材６５は竿管１３と同じ断面台形状にしている。第１収納誘導部材６４は、上記収納誘導部材３０と同じ作用効果を奏するために上記条件を満たし、且つ口金後端からの距離Ｌ１は３０ｍｍ〜１００ｍｍの範囲内が望ましい。一方、第２収納誘導部材６５は、竿管６０の略中央部であることが望ましく、収納誘導部材３０の条件であった口金後端からの距離Ｌ１は３０ｍｍ〜１００ｍｍの範囲内に限定されない。
【００５１】
例えば磯玉のように、足場から水面までの距離が長い用途に使用する玉網の場合、節長が長くなる傾向にある。長い竿管の場合、口金後端から３０ｍｍ〜１００ｍｍの範囲に設けた第１収納誘導部材６４の位置だけでは長さ調節が不十分であり、第１収納誘導部材６４よりも手元側の中間部まで繰り出して長さ調整することも要求される。
【００５２】
そこで、節長の略中心部に第２収納誘導部材６５を設けた。次節玉口部が第２収納誘導部材６５に半掛かりする節長の略中心部まで竿管６０を繰り出し、当該竿管６０の中間部と次節とを同時に握持し、第２収納誘導部材６５に親指を載せて操作する。
【００５３】
このように、竿管６０の中間部と次節とを同時に握って押さえる場所に第２収納誘導部材６５が位置することにより、収納誘導部材３０と同様に握持部を構成することができると共に、次節玉口部が第２収納誘導部材６５に接することになり竿管の破損を防ぐことができる。また、第１収納誘導部材６４及び第２収納誘導部材６５といった複数の収納誘導部材を設けたことにより、次節がより安定してスライドすることになり操作性を改善できる。また、第２収納誘導部材６５を節長の略中央部に設けたので、より微妙な長さ調整を等間隔で最小の個数によって実現できる。
【００５４】
次に、上記した収納誘導部材を設けた竿管の製造方法について説明する。図８は図２に示す竿管１３の製造手順を示す図である。竿管１３は、引き揃えた強化繊維に合成樹脂を含浸させてなる繊維強化樹脂プリプレグで構成されていて、本例では２層の本体プリプレグ（本体層）２０で構成されている。本体層２０は、一対の端部を有する、相対的に内側の層である第１の本体層２１と、一対の端部を有する、相対的に外側の層である第２の本体層２２と、第２の本体層２２上に配置された後端補強部材２７と、第１の本体層２１の内側に配置された先端部補強部材２８と、繊維強化プリプレグで構成されていて第２の本体層２２上に配置された収納誘導部材３０と、で主に構成されている。
【００５５】
第１の本体層２１は、軸長方向に強化繊維を引き揃えたプリプレグ（軸長方向繊維層）２４に、周方向に強化繊維を引き揃えたプリプレグ（周方向繊維層）２３を内側から裏打ちして構成されており、第２の本体層２２は、軸長方向に強化繊維を引き揃えたプリプレグ（軸長方向繊維層）２５に、周方向に強化繊維を引き揃えたプリプレグ（周方向繊維層）２６を外側から裏打ちして構成されている。したがって、竿管１３の本体層は、図１に示すように、内周側から順に周方向繊維層（内層）２３、軸長方向繊維層（中間層）２４，２５、及び周方向繊維層（外層）２６により構成される。
【００５６】
周方向繊維層として用いられるプリプレグ２３，２６の強化繊維は、２４トン／ｍｍ2〜４６トン／ｍｍ2の繊維方向弾性率を有し、２０重量％〜３５重量％の樹脂含浸量を有することが好ましく、軸長方向繊維層として用いられるプリプレグ２４，２５の強化繊維は、２４トン／ｍｍ2〜６５トン／ｍｍ2の繊維方向弾性率を有し、１５重量％〜３５重量％の樹脂含浸量を有することが好ましい。
【００５７】
後端補強部材２７及び先端部補強部材２８は、竿管１３の後端部及び先端部を補強するために配置するものであり、繊維方向は周方向又は竿管の軸方向に対して傾斜した方向（特に４５°が好ましい）の補強プリプレグで構成されている。後端補強部材２７は強度補強の他にも管径を調整して嵌合雄部を構成する目的がある。先端部補強部材２８は、玉口のつぶれ、欠け、割れを防止する。
【００５８】
収納誘導部材３０は、熱硬化性樹脂を含浸させたプリプレグで構成されている。収納誘導部材３０は、竿管１３の所望位置を膨出させるために配置するものであり、繊維方向は周方向又は傾斜方向（４５°が好ましい）にすると良い。これにより、つぶれや、せん断に強い収納誘導部材３０を実現できる。
【００５９】
竿管１３を作製する場合、芯金７１上に先端補強部材２８用のプリプレグを巻回し、第１の本体層２１用のプリプレグを周方向繊維層２３が芯金７１に接触するように巻回し、第１の本体層２１上に第２の本体層２２用のプリプレグを巻回し、さらに第２の本体層２２の後端領域上に後端補強部材２７用のプリプレグを巻回し、第２の本体層２２の先端よりの前記所望領域に収納誘導部材３０用のプリプレグを巻回して加熱する。その後、芯金７１を取り外す。
【００６０】
このように、熱硬化性樹脂を含浸させたプリプレグを巻回して本体層２０と一体に収納誘導部材３０を形成するので、本体層２０を形成する工程と一緒の前工程で収納誘導部材３０を設けることができ、塗装等により肉盛り部を後工程で形成する場合に比べて工数を削減できる。また、竿管に強固に密着して取れや削れが発生し難いといった効果もある。
【００６１】
なお、上記したようにプリプレグを巻回して収納誘導部材３０を設けることにより上記効果を得られるが、プリプレグを巻回する以外の方法により収納誘導部材を設けることもできる。例えば、樹脂（エポキシ等）を後で塗布して設けた肉盛り部を収納誘導部材として使用しても良いし、別部材を接着などにより取り付けても良い。
【００６２】
以上のようにして、収納誘導部材３０を設けた竿管１３を作製することができる。なお、収納誘導部材を設けた他の竿管についても同様の手順で作製することができる。
【００６３】
図９（ａ）〜（ｃ）に収納誘導部材の形状の一例を示している。図９（ａ）に示すように台形状３０の他に、図９（ｂ）に示す三角形状３３、中央に頂点が来る二等辺三角形、又は図９（ｃ）に示す円弧状３４のような略かまぼこ形でも良い。
【００６４】
本発明は上記実施の形態に限定されず、種々変更して実施することが可能である。例えば、上記実施の形態で説明した数値や材質については特に制限はなく、本発明の目的の範囲を逸脱しない限りにおいて適宜変更することが可能である。
【産業上の利用可能性】
【００６５】
本発明の振出式継竿は、口金後端部に肉盛り部を設けなくても、口金取れや玉口の破損を防止でき、また竿元に中節を中間まで収納した状態で使用しても竿管の破損を防止する構造を実現でき、振出式の釣り竿や玉網の柄部に適用可能である。
【図面の簡単な説明】
【００６６】
【図１】本発明の一実施の形態に係る玉網の全体図である。
【図２】図１に示す柄部を構成する竿管の上半分の側断面図である。
【図３】竿管が継ぎ合わされた状態を示す断面図である。
【図４】前節を次節内に収納し、前々節を前節に継ぎ合わせた状態を示す断面図である。
【図５】前節を収納誘導部材中央まで収納して握持部を構成した状態を示す断面図である。
【図６】（ａ）は外表面に９０°方向の溝を形成した収納誘導部材の平面図であり、（ｂ）は外表面に０°方向の溝を形成した収納誘導部材の平面図であり、（ｃ）は外表面に９０°方向及び０°方向の溝を形成した収納誘導部材の平面図である。
【図７】複数の収納誘導部材を設けた竿管の上半分の側断面図である。
【図８】収納誘導部材を設けた竿管の製造手順を示す図である。
【図９】（ａ）は収納誘導部材を構成する台形状の平面図であり、（ｂ）は収納誘導部材を構成する三角形状の平面図であり、（ｃ）は収納誘導部材を構成する円弧状の平面図である。
【符号の説明】
【００６７】
１０  玉網
１１〜１６，６０  竿管
２０，４０，５０  本体層
２７，４１，５２，６６  後端部補強部材
２８，５３，６３  先端部補強部材
２９，５１  口金
３０  収納誘導部材
３１，３２  溝
６４  第１収納誘導部材
６５  第２収納誘導部材
【図１】
2006180765.tif 000003
【図２】
2006180765.tif 000004
【図３】
2006180765.tif 000005
【図４】
2006180765.tif 000006
【図５】
2006180765.tif 000007
【図６】
2006180765.tif 000008
【図７】
2006180765.tif 000009
【図８】
2006180765.tif 000010
【図９】
2006180765.tif 000011